(57)【要約】      （修正有）【課題】速やかに便利にオーブン本体にミートトレイ、ソーセージフレーム及びパントレイを選択的に組付けることができ、食品のベーグに必要な熱エネルギー及び加熱方式の違いにより、電熱体と各食品に適切な距離と感覚を保持させ、焼け焦げを防止し、また適切な加熱保温の機能を達成できる。【解決手段】内部に電熱体が設けられてスイッチにより加熱温度と時間が制御されるオーブン本体の機体上部及び側縁に貫通孔が設けられ、貫通孔或いは機体内にミートトレイを嵌合或いは深く挿入可能で、且つ貫通孔或いは機体内に所定間距を保持する複数の平行筒体或いは網で構成されたソーセージフレームを設置可能で、ソーセージフレーム上に底部に貫通孔が設けられた浅いトレイ型のパントレイを設置可能で、全体のオーブン装置がカバーで遮蔽されて保温できる。【選択図】図１
0003110056.tif 000002
【実用新案登録請求の範囲】
【請求項１】
オーブン本体、ミートトレイ、ソーセージフレーム、パントレイ及びカバーが組み合わされてなる家庭用組合せ式オーブン保温調理装置であり、該オーブン本体は内部に電熱体が設けられてスイッチにより加熱温度及び時間が調整されるオーブン用具であり、その機体の上部に上向きに貫通孔が形成され、該貫通孔の周囲に深さのあるミートトレイが嵌合され、ミートトレイの上に所定間距を保持する複数の平行な筒体で構成されたソーセージフレームが着脱自在に載置され、ソーセージフレームの上に浅いトレイ型のパントレイが着脱自在に載置され、全体のオーブン装置の上方がカバーで遮蔽並びに閉じ合わされて保温可能であることを特徴とする、家庭用組合せ式オーブン保温調理装置。
【請求項２】
請求項１記載の家庭用組合せ式オーブン保温調理装置において、パントレイの底部に貫通孔が設けられたことを特徴とする、家庭用組合せ式オーブン保温調理装置。
【請求項３】
請求項１記載の家庭用組合せ式オーブン保温調理装置において、オーブン本体の側面に貫通孔が設けられて側面よりミートトレイと受け網を挿入可能であることを特徴とする、家庭用組合せ式オーブン保温調理装置。
【請求項４】
請求項１記載の家庭用組合せ式オーブン保温調理装置において、ソーセージフレームは筒体がオーブン本体の貫通孔周囲の嵌め溝に嵌合されてなることを特徴とする、家庭用組合せ式オーブン保温調理装置。
【請求項５】
請求項１記載の家庭用組合せ式オーブン保温調理装置において、ソーセージフレームは筒体がオーブン本体の貫通孔周囲の弾性嵌め孔に嵌合されてなることを特徴とする、家庭用組合せ式オーブン保温調理装置。
【請求項６】
請求項１記載の家庭用組合せ式オーブン保温調理装置において、ソーセージフレームが回転可能なバスケット状のソーセージフレームで構成されたことを特徴とする、家庭用組合せ式オーブン保温調理装置。
【請求項７】
請求項１記載の家庭用組合せ式オーブン保温調理装置において、オーブン本体内にソーセージ或いは肉片を突き刺すための串を具えた受け網が設けられたことを特徴とする、家庭用組合せ式オーブン保温調理装置。
【請求項８】
請求項１記載の家庭用組合せ式オーブン保温調理装置において、オーブン本体にモータが取り付けられ、歯車を介して筒体とバスケット状のソーセージフレームを駆動し回転させることを特徴とする、家庭用組合せ式オーブン保温調理装置。
【考案の詳細な説明】
【技術分野】
【０００１】
本考案は一種の家庭用組合せ式オーブン保温調理装置に関する。
【背景技術】
【０００２】
西洋式のファーストフードにおいて、パンに肉片やソーセージを挟むのはよく見られる調理方式であり、ソーセージは人々、特に子供に人気のある食品で、大きな売り場、量販店などでは店が設置されて西洋式ファーストフード及びソーセージの購入は極めて簡単である。しかし一般家庭では器具が不足することと便利さのために、多くはフライパン、オーブンを利用して加熱を行なっている。ただし、ソーセージ、パン、肉片に必要な熱エネルギー及び加熱方式は同じでなく、直接鍋底に接触させ加熱すると、温度が集中して不均一となる。そのうち、ソーセージやパンには局部が焼け焦げる情況が発生しがちで、複数の調理器具を使用して同時に加熱すると非常に忙しくなり、また各食品を順に加熱調理すると温度不一致の問題が発生する。
【考案の開示】
【考案が解決しようとする課題】
【０００３】
本考案の主要な目的は一種の家庭用組合せ式オーブン保温調理装置を提供することにあり、それは、内部に電熱体が設けられてスイッチにより加熱温度と時間が制御されるオーブン本体を具え、機体上部及び側縁に貫通孔が設けられ、貫通孔周囲或いは機体内にミートトレイを嵌合或いは深く挿入可能で、且つ貫通孔或いは機体内に適宜ギャップを保持する複数の平行筒体或いは網で構成されたソーセージフレームを設置可能で、ソーセージフレーム上に底部に貫通孔が設けられた浅いトレイ型のパントレイを設置可能で、全体のオーブン装置がカバーで遮蔽されて保温できる。これにより速やかに便利にオーブン本体にミートトレイ、ソーセージフレーム及びパントレイを選択的に組付けることができ、食品のベークに必要な熱エネルギー及び加熱方式の違いにより、電熱体と各食品に適切な距離と間隔を保持させ、焼け焦げを防止し、また適切な加熱保温の機能を達成するものとする。
【０００４】
本考案はまた一種の家庭用組合せ式オーブン保温調理装置を提供することを目的とし、それは、電熱体を具えたオーブン本体、オーブン本体に挿入或いは支持され得るミートトレイ、オーブン本体に支持され得るソーセージフレーム、ソーセージフレーム上に支持され得る浅いトレイ型のパントレイ及び、遮蔽して保温を行なうカバーで構成され、全体構造が簡単で、製造コストが低く、洗浄が簡単で、家庭内での使用に極めて適合し、経済的で便利で実用的であるものとする。
【課題を解決するための手段】
【０００５】
請求項１の考案は、オーブン本体、ミートトレイ、ソーセージフレーム、パントレイ及びカバーが組み合わされてなる家庭用組合せ式オーブン保温調理装置であり、該オーブン本体は内部に電熱体が設けられてスイッチにより加熱温度及び時間が調整されるオーブン用具であり、その機体の上部に上向きに貫通孔が形成され、該貫通孔の周囲に深さのあるミートトレイが嵌合され、ミートトレイの上に所定間距を保持する複数の平行な筒体で構成されたソーセージフレームが着脱自在に載置され、ソーセージフレームの上に浅いトレイ型のパントレイが着脱自在に載置され、全体のオーブン装置の上方がカバーで遮蔽並びに閉じ合わされて保温可能であることを特徴とする、家庭用組合せ式オーブン保温調理装置としている。
請求項２の考案は、請求項１記載の家庭用組合せ式オーブン保温調理装置において、パントレイの底部に貫通孔が設けられたことを特徴とする、家庭用組合せ式オーブン保温調理装置としている。
請求項３の考案は、請求項１記載の家庭用組合せ式オーブン保温調理装置において、オーブン本体の側面に貫通孔が設けられて側面よりミートトレイと受け網を挿入可能であることを特徴とする、家庭用組合せ式オーブン保温調理装置としている。
請求項４の考案は、請求項１記載の家庭用組合せ式オーブン保温調理装置において、筒体がオーブン本体の貫通孔周囲の嵌め溝に嵌合されてソーセージフレームが構成されたことを特徴とする、家庭用組合せ式オーブン保温調理装置としている。
請求項５の考案は、請求項１記載の家庭用組合せ式オーブン保温調理装置において、筒体がオーブン本体の貫通孔周囲の弾性嵌め孔に嵌合されてソーセージフレームが構成されたことを特徴とする、家庭用組合せ式オーブン保温調理装置としている。
請求項６の考案は、請求項１記載の家庭用組合せ式オーブン保温調理装置において、ソーセージフレームが回転可能なバスケット状のソーセージフレームで構成されたことを特徴とする、家庭用組合せ式オーブン保温調理装置としている。
請求項７の考案は、請求項１記載の家庭用組合せ式オーブン保温調理装置において、オーブン本体内にソーセージ或いは肉片を突き刺すための串を具えた受け網が設けられたことを特徴とする、家庭用組合せ式オーブン保温調理装置としている。
請求項８の考案は、請求項１記載の家庭用組合せ式オーブン保温調理装置において、オーブン本体にモータが取り付けられ、歯車を介して筒体とバスケット状のソーセージフレームを駆動し回転させることを特徴とする、家庭用組合せ式オーブン保温調理装置としている。
【考案の効果】
【０００６】
本考案の家庭用組合せ式オーブン保温調理装置は、内部に電熱体が設けられてスイッチにより加熱温度と時間が制御されるオーブン本体を具え、機体上部及び側縁に貫通孔が設けられ、貫通孔或いは機体内にミートトレイを嵌合或いは深く挿入可能で、且つ貫通孔或いは機体内に適宜ギャップを保持する複数の平行筒体或いは網で構成されたソーセージフレームを設置可能で、ソーセージフレーム上に底部に貫通孔が設けられた浅いトレイ型のパントレイを設置可能で、全体のオーブン装置がカバーで遮蔽されて保温できる。これにより速やかに便利にオーブン本体にミートトレイ、ソーセージフレーム及びパントレイを選択的に組付けることができ、食品のベークに必要な熱エネルギー及び加熱方式の違いにより、電熱体と各食品に適切な距離と間隔を保持させ、焼け焦げを防止し、また適切な加熱保温の機能を達成する。また本考案は全体構造が簡単で、製造コストが低く、洗浄が簡単で、家庭内での使用に極めて適合し、経済的で便利で実用的である。
【考案を実施するための最良の形態】
【０００７】
図１から図４に示されるように、本考案はオーブン本体１、ミートトレイ２、ソーセージフレーム３、パントレイ４及びカバー５が組み合わされてなる。そのうち、オーブン本体１は内部に電熱体１６が設けられてスイッチ１０で加熱温度と時間が制御されるベーク用具であり、その機体の上部及び側部に貫通孔が設けられ、貫通孔周囲或いは機体内に深さのあるミートトレイ２を嵌め込め、ミートトレイ２の上には適宜間距を保持する複数の平行筒体３０で構成されたソーセージフレーム３が載置されうる。ソーセージフレーム３の上には更に底部に貫通孔４０を具えた浅いトレイ型のパントレイ４が載置され得る。全体のベーク装置の上方がカバー５で被覆され保温される。また、オーブン本体１はまた図５に示されるように側面に貫通孔が設けられ、側面よりミートトレイ２或いは受け網１４を挿入できる形態とされうる。ソーセージフレーム３はまた図６、７に示されるように、筒体３０がオーブン本体１の貫通孔周囲の嵌め溝１３或いは弾性嵌め孔１２に嵌合されてなるものとされるか、或いは図８に示されるように、回転可能な網籠に嵌合されてなるものとされうる。また、オーブン本体１は図９に示されるように、受け網１４が内部に設置され、針状の串１１が組み合わされ、ソーセージや肉片に突き刺すことができ、必要時には図１０のように、モータ６で歯車６０を介して筒体３０或いはバスケット状のソーセージフレーム３１を回転させることもできる。
【０００８】
実際の使用時に、使用者はベークする食品の種類により、オーブン本体１にミートトレイ２、ソーセージフレーム３及びパントレイ４が選択的に組み合わされ、ベークする食品に必要な熱エネルギー及び加熱方式の違いに合わせて、肉片を最も電熱体１６に近いミートトレイ２内でベークし、ソーセージをミートトレイ２と適宜間距を保持したソーセージフレーム３の上に置き、パンを電熱体１６から離れたパントレイ４に置いて蒸し焼きし、電熱体と各食品に適切な距離と間隔を保持させ、異なる食品のベーク調理に必要な熱エネルギーと加熱方式の違いに対応し、焼け焦げの情況を防止する。その後、スイッチ１０で加熱温度と時間を調整すれば、同一の調理装置内で各食品を共に調理し、適切な加熱保温の作用を達成できる。ゆえに、作業が多忙となったり食品温度が不一致となったりする問題がない。また、手動で筒体３０或いはバスケットを回してソーセージを回すほかに、図１０に示されるように、モータ６を起動し、歯車６０を介して筒体３０或いはバスケット状のソーセージフレーム３１を回転させ、筒体３０上或いはバスケット状のソーセージフレーム３１内のソーセージを自動回転させて加熱させることができ、これによりソーセージの加熱の不均一の情況を防止できる。また、パントレイ４を取り出した後には作業トレイとして使用できる。本考案は全体構造が簡易で、製造コストが低く、並びに分解して洗浄でき、家庭での使用に極めて適合し、経済的で実用的である。
【０００９】
本考案の構造及び装置は未だ市場及び刊行物上に見られず、同一調理装置内で同時に各食品の調理が行なえ、焼け焦げと温度不一致の情況を発生しないだけでなく、全体構造が簡単で、製造コストが安く、洗浄が簡単である。ゆえに本考案は機能上明らかに向上されており、実用新案登録の要件を具備している。
【００１０】
なお、以上の実施例は本考案の請求範囲を限定するものではなく、本考案に基づきなしうる細部の修飾或いは改変は、いずれも本考案の請求範囲に属するものとする。
【図面の簡単な説明】
【００１１】
【図１】本考案の実施例の立体図である。
【図２】本考案の実施例の立体分解図である。
【図３】本考案の使用実施例の立体図である。
【図４】本考案の別の使用実施例の立体図である。
【図５】本考案の別の実施例の立体図である。
【図６】本考案の別の実施例の立体分解図である。
【図７】本考案の別の実施例の立体分解図である。
【図８】本考案の別の実施例の立体図である。
【図９】本考案の別の実施例の立体図である。
【図１０】本考案の別の実施例の立体分解図である。
【符号の説明】
【００１２】
１  オーブン本体          ２  ミートトレイ        ３  ソーセージフレーム
４  パントレイ            ５  カバー              ６  モータ
１０  スイッチ            １１  串                １２  弾性嵌め孔
１３  嵌め溝              １４  受け網            １６  電熱体
３０  筒体                ３１  バスケット状のソーセージフレーム
４０  貫通孔              ６０  歯車
【図１】
0003110056.tif 000003
【図２】
0003110056.tif 000004
【図３】
0003110056.tif 000005
【図４】
0003110056.tif 000006
【図５】
0003110056.tif 000007
【図６】
0003110056.tif 000008
【図７】
0003110056.tif 000009
【図８】
0003110056.tif 000010
【図９】
0003110056.tif 000011
【図１０】
0003110056.tif 000012